(57)【要約】【課題】他の作業を行いながら、同時に負荷を非常に少なくしてリラックスした状態でサイクリング運動等の運動をほとんど意識することなく行うことができる回転ペダル付椅子を提供する。【解決手段】回転ペダル付椅子は、台１１上に載置された椅子部１２と、座部１４を揺動させる座部揺動装置２７と、椅子部１２後方に配置された手すり駆動部３６と、椅子部１２の前方に配置されたペダル装置５３と、ペダル装置に立設された机部６１とを備えている。座部に腰掛けた着座者が、デスクワーク等の他の作業を行いながら、両足を左右一対のペダル部に載せることにより、ペダル装置によって自動的にペダルをこぐ状態にさせられ、両手を手すり部に乗せることにより、手すり駆動部３６により手が自然な状態で前後に揺動させられ、座部が座部揺動装置２７により中央を中心として左右に所定角度でかつ低速度で往復回動させられ、着座者の腰周りが左右に軽く捻られる。【選択図】    図１
2007054598.tif 000002
【特許請求の範囲】
【請求項１】
脚部と座部と背もたれ部とを有し、該座部が前端側の左右両側にて切り欠かれている椅子部と、
該椅子部の前方にて床面に載置されて該座部に着座した着座者が両足先を載置できるように両足の下方に配置された左右一対の回転可能なペダルを有する回転ペダル部と、該一対のペダルを１〜１０回／秒の低速度で回転させる回転駆動部とからなるペダル装置と
により構成されたことを特徴とする回転ペダル付椅子。
【請求項２】
前記回転駆動部の動作を制御して該ペダル部の回転速度を調節する回転制御部を設けたことを特徴とする前記請求項１に記載の回転ペダル付椅子。
【請求項３】
前記回転制御部により、前記ペダルの回転方向の切り換えが可能であることを特徴とする前記請求項１又は２に記載の回転ペダル付椅子。
【請求項４】
前記椅子部と前記ペダル装置とを連結させて一体にしたことを特徴とする前記請求項１から３のいずれか１項に記載の回転ペダル付椅子。
【請求項５】
前記ペダルには、足先を固定するカバーを設けたことを特徴とする前記請求項１から４のいずれか１項に記載の回転ペダル付椅子。
【請求項６】
前記ペダルには、踵を固定する踵止め部を設けたことを特徴とする前記請求項５に記載の回転ペダル付椅子。
【請求項７】
前記着座者の両太腿間に巻装されて両太腿を繋げる太腿用ベルトを設けたことを特徴とする前記請求項１から６のいずれか１項に記載の回転ペダル付椅子。
【請求項８】
前記座部の前側の左右両側に、着座者の両太腿を挟む一対の太腿挟み部を設けたことを特徴とする前記請求項１から６のいずれか１項に記載の回転ペダル付椅子。
【請求項９】
前記椅子部が両側に一対の手すり部を設け、該一対の手すり部を前後に低速度で揺動させる揺動駆動手段を設けたことを特徴とする前記請求項１から８のいずれか１項に記載の回転ペダル付椅子。
【請求項１０】
前記一対の手すり部の左右における揺動が、左右で方向が異なることを特徴とする前記請求項９に記載の回転ペダル付椅子。
【請求項１１】
前記座部を、該座部の中央を中心として左右に所定角度で低速度で往復回動させる座部回動手段を設けたことを特徴とする前記請求項１から１０のいずれか１項に記載の回転ペダル付椅子。
【請求項１２】
前記背もたれ部の上端側に枕を設け、該枕内の頭部が当接する表面側に硬質の棒部材が配設されたことを特徴とする前記請求項１から１１のいずれか１項に記載の回転ペダル付椅子。
【請求項１３】
前記棒部材が取り外し可能にされており、さらに該棒部材の表面に凸部及び又は凹部を設けたことを特徴とする前記請求項１２に記載の回転ペダル付椅子。
【請求項１４】
前記椅子部の前方に机が配置されたことを特徴とする前記請求項１から１３のいずれか１項に記載の回転ペダル付椅子。
【発明の詳細な説明】
【技術分野】
【０００１】
本発明は、着座者がリラックスした状態で回転ペダルを漕ぐ等の軽度の運動を行うことができる回転ペダル付椅子に関する。
【背景技術】
【０００２】
ストレスの過剰な現代社会においては、自律神経のバランスが崩れて体の免疫力が低下しがちであり、また、パソコン等を用いた長時間のデスクワーク等により、運動不足や姿勢の不良により、肩こりや腰痛が頻発し、これらが原因となって種々の生活習慣病をもたらすという問題がある。このようなストレスの増加や運動不足を解消するには、散歩やサイクリングのような軽い運動が効果があることが知られている。ゆっくりとサイクリングや散歩などを行うことにより、自律神経のバランスが整えられると共に、小さな負荷で自然に全身運動を行うことができるため、注目されている。しかし、これらの運動は時間を要するため、多忙の折はまとまった時間を取りづらい等により、規則的に行うことはなかなか困難である。
【０００３】
例えば、特許文献１に示すように、自宅やホテル等の専用の運動施設等に設置されたりして自由な時間にサイクリング運動を行うことができるトレーニング器が知られている。このようなトレーニング器を利用することにより、任意の時間にサイクリング運動を行うことができるため、歓迎されている。しかし、このようなサイクリング装置の場合、運動効率を高める意図もあって負荷を過重に設定する傾向になり、過重な運動となることによりかえってストレスや疲労物質を増加させることになるため、体に有害なことが多い。特に、体力の劣る中高年者にとっては、過大な負荷によって足腰を痛めたり疲れを増加させるといった逆効果になることが多い。また、上記散歩やサイクリングに限らずトレーニング器による運動も、利用時間内ではその他の作業を行うことができず、運動のための義務的な時間の消費になることは避けられなく、そのため心身のリラックス状態も得られ難くなっている。
【特許文献１】特開２００２−２１００３７
【発明の開示】
【発明が解決しようとする課題】
【０００４】
本発明は、上記問題を解決しようとするもので、他の作業を行いながら、負荷を非常に少なくしてリラックスした状態でほとんど意識することなくサイクリング運動等の軽度の運動を同時に行うことができ、長時間続けることが可能なことにより良好な全身運動を達成できる簡易な構成の回転ペダル付椅子を提供することを目的とする。
【課題を解決するための手段】
【０００５】
上記目的を達成するために、本発明の構成上の特徴は、脚部と座部と背もたれ部とを有し、座部が前端側の左右両側にて切り欠かれている椅子部と、椅子部の前方にて床面に載置されて座部に着座した着座者が両足先を載置できるように両足の下方に配置された左右一対の回転可能なペダルを有する回転ペダル部と、一対のペダルを１〜１０回／秒の低速度で回転させる回転駆動部とからなるペダル装置とにより構成されたことにある。なお、ペダルの回転速度としては、着座者がペダルの回転を意識しない程度の低速度である１〜１０回／分の範囲であればよいが、好ましくは４〜８回／分程度であり、さらに好ましくは６〜７回／分程度である。１回／分より少ないと、サイクリング運動の効果が得難くなり、また、１０回／分より多くなるとかえって負荷が大きくリラックスした状態にはなり難くなると共に、同時に他の作業を行うことも困難になる。
【０００６】
上記のように構成した本発明においては、椅子部の座部に腰掛けた着座者が、両足を左右一対のペダルに載せた状態で、回転駆動部の駆動により左右一対のペダルを回転させることにより、着座者がペダルの回転を意識しない程度の低速度で自動的にペダルをこぐ状態にさせられる。また、座部が前端側の両側にて切り欠かれており、丁度自転車のサドルに類似した形状となっているため、座部に座った着座者の両足の大腿部が切欠き部分によって座部の下方にスムーズに下げられる。そのため、ペダルの回転に伴って、着座者の大腿部が水平より上に持ち上げられることがないので、腹部と大腿部との間のそけい部が圧迫を受けることがなく、そけい部を通る大腿動静脈、神経、リンパ管などを圧迫することによる、腹部から下肢全体に及ぶ血管系、神経系運動系等に無用な疾患をもたらすおそれもない。また、着座者の大腿部が水平より上に持ち上げられないので、椅子部の前に机を配置しても、大腿部が机に当たる不具合を生じることもない。そのため、着座者は、そけい部を通る大体動脈や静脈、神経、リンパ管などが圧迫されることのない自然な状態で、デスクワーク等の他の作業を行いながら、同時に負荷を非常に少なくしてリラックスした状態でサイクリング運動を行うことができるため、他のデスクワーク等を行いながらほとんど意識することなく長時間にわたって運動を続けることが可能になる。
【０００７】
その結果、本発明においては、下肢の血行が良好に維持され、自然に良好な全身運動を達成することができ、自律神経のバランスも良好に保たれる。また、サイクリング運動を行うことにより、作業が邪魔されることはなく、むしろ全身の血行が良好にされるため、作業の能率が高められる。また、ペダルの回転速度としては、着座者がペダルの回転を意識しない１〜１０回／分の範囲の低速度にされているため、長時間でも自然に無理なくペダル漕ぎを行うことができることにより、同時に他の作業を行いながら、十分なサイクリング運動の効果が得られ、また体力に乏しい身障者や老人等でも楽にサイクリング運動の効果が得られるので非常に便利である。
【０００８】
また、本発明において、回転駆動部の動作を制御してペダル部の回転速度を調節する回転制御部を設けることができる。このように、回転制御部の制御によってペダルの回転速度を変えることができるので、着座者の活動状態や健康状態に応じて適正な回転速度を選択することができる。そのため、着座者の活動状態等に応じたサイクリング運動を行うことができ、それに伴う適正な運動の効果が得られる。
【０００９】
また、本発明において、回転制御部により、ペダルの回転方向の切り換えが可能であることができる。このように、回転制御装置の制御によってペダルの回転方向を変えることができるので、足の異なった筋肉に刺激作用をもたらすことができ、よりバランスの取れた全身運動を達成することができる。
【００１０】
また、本発明において、椅子部とペダル装置とを連結させて一体にすることができる。これにより、椅子部とペダル装置とを連結されて両者間が一定距離に保たれているため、着座者の足先の動きによって、両者間の距離が変えられることがない。そのため、着座者に対するペダルの位置が常に一定位置に保たれているため、着座者がペダルの位置を気にすることなく長時間のペダルの回転を安定して行うことができる。
【００１１】
また、本発明において、ペダルには、足先を固定するカバーを設けることができる。これにより、着座者の足先がカバーによって確実にペダルに固定されるため、長時間のペダルの回転を行う場合に、着座者が注意を払わなくても、足先がペダルから外れ難くされる。そのため、ペダル回転運動が長時間にわたって安定して確保される。さらに、ペダルには、踵を固定する踵止め部を設けることができる。これにより、ペダルが靴に似た形状にされ、足先がペダルに確実に保持されるため、ペダルからの足先のはずれが一層確実に防止される。
【００１２】
また、本発明において、着座者の両太腿間に巻装されて両太腿を繋げる太腿用ベルトを設けることができる。これにより、足の左右への広がりが防止されるため、足がペダルの回転に安定して追従することができ、長時間のペダルの回転を行う場合に、着座者が注意を払わなくても、足先がペダルから外れ難くされる。そのため、ペダル回転運動が長時間にわたって安定して確保される。また、本発明において、座部の前側の左右両側に、着座者の両太腿を挟む一対の太腿挟み部を設けることができる。これによっても、両太腿が太腿挟み部によって挟まれて、足の左右への広がりが防止されるため、長時間のペダルの回転を行う場合に、着座者が注意を払わなくても、足先がペダルから外れ難くされる。
【００１３】
また、本発明において、椅子部が両側に一対の手すり部を設け、一対の手すり部を前後に低速度で揺動させる揺動駆動手段を設けることができる。なお、手すり部の揺動速度としては、着座者が手すり部の揺動を意識しない程度の低速度（往復回数）であり、１〜１０回／分程度の範囲であればよいが、好ましくは４〜８回／分程度であり、さらに好ましくは６〜７回／分程度である。１回／分より少ないと、手すり部の揺動運動の効果が得難くなり、また、１０回／分より多くなるとかえって負荷が大きくリラックスした状態にはなり難くなると共に、同時に他の作業を行うことも困難になる。このように、着座者が椅子部に腰掛けたとき、両手を両側に一対の手すり部に乗せ、さらに揺動駆動手段で一対の手すり部を前後に揺動することにより、腕全体が自然な状態で前後に揺らされる。そのため、手すりに乗せた腕全体が、自然にゆっくりと前後に振られるため、腕全体の血行が良好に維持され、自然に良好な全身運動の効果が得られる。この場合、一対の手すり部の左右における揺動が、左右で同じ方向であるばかりでなく、左右で互いに異ならせることもでき、それにより、腕に加わる刺激に変化をもたせることができる。
【００１４】
また、本発明において、座部を、座部の中央を中心として左右に所定角度で低速度で往復回動させる座部回動手段を設けることができる。なお、座部の往復回動速度（往復回動回数）としては、着座者が座部の回動を意識しない程度の低速度であり、１〜３回／分程度の範囲であればよいが、好ましくは１〜２回／分程度である。１回／分より少ないと、座部の回動運動の効果が得難くなり、また  ３回／分より多くなるとかえって負荷が大きくリラックスした状態にはなり難くなると共に、同時に他の作業を行うことも困難になる。このように、座部の中央を中心として座部が左右に所定角度で往復回動を行うことにより、着座者の腰周りが軽く捻られて腰周囲の血行が一層高められるため、着座による腰に加わる負担が軽減され、腰痛等の発生を抑えることができる。
【００１５】
また、本発明において、背もたれ部の上端側に枕を設け、枕内の頭部が当接する表面側に硬質の棒部材を配設させることができる。これにより、着座者は、背もたれの上端側に設けた枕に頭部を当接させて休んだ状態になることができると共に、表面側に設けた硬質の棒部材に頭部を押し付けて適正な刺激を受けることができるので、作業に疲れた頭部の活性化を図ることができる。また、表面に凸部及び又は凹部を設けた種々の棒部材を枕部に取り外し可能に取り付けるようにすることもできる。これにより、頭部の状態に応じた棒部材を使用することができ、頭部に適正な刺激を与えることができるため、頭部のうっ血状態等を適正に回復させることができる。
【００１６】
また、本発明において、椅子部の前方に机が配置されることが好ましい。これにより、椅子部の腰掛けた着座者が、前方に配置された机を用いてデスクワークや学習を行いながら、負荷を非常に少なくしたリラックスした状態でサイクリング運動等の軽度の運動を行うことができるので、特に意識することなく運動を長時間続けることが可能になる。そのため、本発明によれば、軽度な運動の継続により全身の血行が良好に維持されて自然に体力が高められると共に、サイクリング運動等を行うことにより、デスクワークが邪魔されることはなく、むしろ全身の血行が良好にされるため、仕事や学習の能率が高められる。
【発明の効果】
【００１７】
本発明によれば、椅子部の座部に腰掛けた着座者が、デスクワーク等の他の作業を行いながら、両足を左右一対のペダル部に載せ、回転駆動部によって１〜１０回／秒の低速度でペダル部を駆動させることにより、着座者の両足の大腿部が切欠き部分によって座部の下方にスムーズに下げられた負担のかからない状態で、自動的にペダルをこぐ状態にさせられる。その結果、本発明においては、着座者は、デスクワーク等の作業を行いながら、同時に負荷を非常に少なくしてリラックスした状態でほとんど意識することなく軽度のサイクリング運動を行うことができるため、全身の血行が良好にされ適正な全身運動による体力増強の効果が得られると共に、自律神経のバランスが適正な状態に保たれる。また、本発明によれば、サイクリング運動が作業中に自動的にかつ自然に行われるため、作業が邪魔されることはなく、むしろ全身の血行が良好にされることにより作業の能率を高める効果が得られる。
【００１８】
また、本発明においては、サイクリング運動に加えて、着座者が椅子部に腰掛けたとき、両手を両側に一対の手すり部に乗せて揺動駆動手段で一対の手すり部を前後に低速度で揺動することにより、腕が自然な状態で前後に揺動させられ、さらに、座部が中央を中心として左右に所定角度でかつ低速度で往復回動させられることにより、着座者の腰周りが左右に軽く捻られる。その結果、本発明においては、着座者は、デスクワーク等の作業を行いながら、同時に負荷を非常に少なくしてリラックスした状態でほとんど意識することなく腕や腰周りの軽度の運動を行うことができるため、全身の血行が良好にされ適正な全身運動による体力増強の効果が得られると共に、自律神経のバランスが適正な状態に保たれ、さらに、作業が邪魔されることはなく、むしろ全身の血行が良好にされることにより作業の能率を高める効果が得られる。また、本発明においては、背もたれ部の上端側に枕を設け、枕内の頭部が当接する表面側に硬質の棒部材を配設させることにより、硬質の棒部材に着座者の頭部を押し付けて適正な刺激を受けることができるので、頭部のうっ血状態等を適正に回復させ作業に疲れた頭部の活性化を図ることができる。
【発明を実施するための最良の形態】
【００１９】
以下、本発明の一実施例について図面を用いて説明する。図１〜図３は、実施例である事務机用回転ペダル付椅子の使用状態を正面図、平面図（机を除く）及び背面図により概略的に示したものである。また、図４は、座部揺動装置を底面図により概略的に示し、図５及び図６は、手すり部分の駆動機構を正面図及び背面図により概略的に示したものである。事務机用回転ペダル付椅子（以下、回転ペダル付椅子と記す）は、台１１上に載置された椅子部１２と、座部１４を揺動させる座部揺動装置２７と、椅子部１２後方に配置された手すり駆動部３６と、椅子部１２の前方に配置されたペダル装置５３と、ペダル装置５３に一体で立設された机部６１とを備えている。なお、回転ペダル付椅子の前後方向については、図１，図２の左右を前後に合わせ、回転ペダル付椅子の左右方向については、着座者が椅子部に着座した状態での左右に合わせるものとする。
【００２０】
椅子部１２は、台１１上に立設された一本の支柱からなる脚部１３と、脚部１３の上端に水平状態でかつ回転可能に取り付けられた座部１４と、座部１４の後部にて台１１上に立設された背もたれ部１５と、座部１４の左右両側に配置された一対の手すり部２１を備えている。座部１４と背もたれ部１５と一対の手すり部２１は、本実施例では別部材となっており互いに分離して配置されている。脚部１３は、座部１４の下面中央にて下方に突出した筒状の取付部１４ａに挿入され、座部１４を回転可能に支持している。脚部１３は、下側の大径部１３ａとそれに回転可能に挿入された小径部１３ｂとからなり、固定部１３ｃを緩めて小径部１３ｂの突出長さを調節することにより、座部１４の高さを調節できるようになっている。座部１４は、図２に示すように、両下肢の膝下部分がペダルを漕ぎやすいように前側の左右両側が切り欠かれた切欠き部１４ｂを設けており、部分的に自転車のサドルの形状に近似したものとなっている。
【００２１】
背もたれ部１５は、台１１に立設された支持部１６と、支持部１６上端に取り付けられた板状の背もたれ本体１７とを備えている。背もたれ本体１７は、支持部１６に固定手段であるロック部材１８によって固定されており、ロック部材１８を解除することにより後方に所定角度の範囲で回動可能にされてその傾斜角度を調節できるようになっている。また、背もたれ本体１７の上端側には枕部１９が取り付けられている。枕部１９の表面には、頭部を刺激するために、樹脂製の丸棒１９ａが埋設されている。本実施例では、丸棒１９ａは、枕部１９に取り外し可能に埋設されている。また、丸棒１９ａは、表面がスムーズであってもよいが、表面に部分的に線状の溝を設けたり種々の形状の突起を設けることもできる。このように、丸棒１９ａの表面状態を変えることにより、頭部に与える刺激の効果を異ならせることができる。
【００２２】
左右一対の手すり部２１，２１は、台１１に前後方向に回動可能に取り付けられて立設された棒状の支持部２２と、支持部２２上端に取り付けられた前後に水平に延びた手載せ部２３とを備えている。支持部２２は、上端近傍位置に設けた固定部２２ａを緩めることにより上下の長さを調節できるようになっている。また、左側の支持部２２の上下中間位置には、棒状の係合部材２４が一端にて固定されて後方に向けて水平に延びており、右側の支持部２２の上端近傍位置には、棒状の係合部材２５が一端にて固定されて後方に向けて水平に延びている。係合部材２４，２５は、後端側に上下に貫通した図示しない取付孔を設けており、取付孔内及び周囲がゴム弾性体層２４ａ，２５ａで被覆されている。
【００２３】
座部１４の裏面には、座部揺動装置２７が取り付けられている。座部揺動装置２７は、図４に示すように、電動モータ２８と回転変換部２９とを設けている。電動モータ２８は回転軸２８ａが水平になるように座部１４に取り付けられている。回転変換部２９は、電動モータ２８の回転軸２８ａに同軸的に軸方向長さの長く小径の第１ギア３１が固定されている。第１ギア３１に対して軸が直交するように第２ギア３２が座部１４に回転可能に取り付けられて、第１ギア３１に噛み合わされている。第２ギア３２は大径で厚さが薄い円板状であり、これにより、電動モータ２８の回転数が減速されるようになっている。第２ギア３２の下面の外周縁には、長尺状の平坦な小片である第１ヒンジ３３が一端にて水平状態で回動可能に取り付けられている。第１ヒンジ３３の他端には、第１ヒンジ３３と同様の形状の第２ヒンジ３４が水平状態で一端にて回動可能に取り付けられており、第２ヒンジ３４の他端が小径部１３ｂに固定されている。第１及び第２ヒンジ３３，３４は、互いに鋭角をなして連結されている。これら、第１ギア３１、第２ギア３２、第１ヒンジ３３及び第２ヒンジ３４により回転変換部２９が構成される。
【００２４】
座部揺動装置２７は、電動モータ２８の回転により、回転軸２８ａに固定された第１ギア３１が回転し、それが第２ギア３２の低速度での回転に変換される。第２ギア３２の低速回転により、第１ヒンジ３３が一端で回転しながら略径方向にゆっくりと往復移動を繰り返すようになる。第１ヒンジ３３の往復移動に引っ張られて、第２ヒンジ３４が小径部１３ｂの回りを所定角度の範囲で低速度で往復回動を繰り返し行う。ここで、小径部１３ｂは台１１に固定されており、上端が共に座部１４の取付部１４ａに回動可能に取り付けられているため、第１ヒンジ３３及び第２ヒンジ３４の運動が、小径部１３ｂを中心とした座部１４の回動に変換される。すなわち、座部１４が、脚部１３を中心として前後方向に対して±３０°程度の中心角で左右に緩やかに往復回動を繰り返し行うようにされる。
【００２５】
手すり駆動部３６は、図１〜図３に示すように、背もたれ部１５の後方でかつ両手すり部２１，２１の間にて、台１１上に一対の取付け部材３７が立設されている。取付け部材３７は、垂直部３８とその上端で後方に延びた水平部３９とを備えている。両水平部３９の後端側には左右方向に水平に延びた回動棒４１が、両水平部３９から外方に突出して回動可能に取り付けられている。回動棒４１の左端には、左側の手すり部２１を前後に駆動する左駆動部４２が取り付けられており、回動棒４１の右端には、右側の手すり部２１を前後に駆動する右駆動部４５が取り付けられている。左駆動部４２は、図１に示すように、回動棒４１に固定されて下方に延びた長尺の平板であるヒンジ４３と、長さの長い棒状で前端にて下方に直角に曲げられた係合部４４ａになっており他端にてヒンジ４３の下端に回動可能に取り付けられている連結棒４４とを備えている。連結棒４４は、ヒンジ４３の４倍程度の長さになっており、係合部４４ａにて係合部材２４の取付孔に挿入されてゴム弾性体層２４ａを介して互いにスムーズに係合するようになっている。
【００２６】
右駆動部４５は、図５，図６に示すように、中心角が略１００°になったＶ字状の平板でありＶ字の曲がり部にて上向きで回動棒４１に固定されたヒンジ４６と、長い棒状で一端にて直角に曲げられた係合部４７ａになっており、他端にてヒンジ４６の前端に回動可能に取り付けられている連結棒４４と同等長さの連結棒４７と、ヒンジ４６の後端に回動可能に取り付けられた連結棒４７より長い長尺状平板であるヒンジ４８と、一端にてヒンジ４８の下端に回動可能に取り付けられた長さの短い平板であるヒンジ４９を備えている。連結棒４７も、連結棒４４と同様に、係合部４７ａにて係合部材２５の取付孔に挿入されてゴム弾性体層２５ａを介して互いにスムーズに係合するようになっている。右側の取付け部材３７の下端側にはブラケット５１が固定されており、ブラケット５１には電動モータ５２が回転軸５２ａを右方に向けて取り付けられている。電動モータ５２の回転軸５２ａには、ヒンジ４９が他端にて回動可能に取り付けられている。
【００２７】
手すり駆動部３６は、電動モータ５２の回転により回転軸５２ａに固定されたヒンジ４９が回転し、ヒンジ４９に回動可能に取り付けられたヒンジ４８が上下に往復運動を行い、ヒンジ４８に回動可能に取り付けられたＶ字状のヒンジ４６が取り付け部を中心として前後に所定角度で往復首振り運動を行う。これに応じて、連結棒４７が前後に往復運動を行う。図５に示すように、ヒンジ４９が水平方向を向いたときが連結棒４７が中間位置にあり、図６に示すように、ヒンジ４９が上方を向いたときが連結棒４７が略最も前方に移動し、ヒンジ４９が下方を向いたときが連結棒４７が略最も後方に移動した状態になる。このように、連結棒４７が前後に往復運動を行うことに対応して、右側の手すり部２１が前後に往復する。また、ヒンジ４６の回動と一体で回動棒４１が前後に往復回動を行うことに応じて連結棒４４が前後に往復移動し、それに応じて左側の手すり部２１が前後に往復移動を行う。左駆動部４２と右駆動部４５の設定によって、左右の手すり部２１の前後への往復運動を、互いに平行にあるいは反対に調整することができる。
【００２８】
ペダル装置５３は、台１１上に前後に載置された電動モータ５４と回転ペダル部５５を設けている。回転ペダル部５５は、正面視で略楕円形状で左右幅が狭い容器であるハウジング５６と、ハウジング５６の左右外側に突出した一対のペダル５７を設けている。また、ハウジング５６内部には一対のペダル５７を回転支持する図示しないギア機構が収容されており、ギア機構は電動モータ５４とチェーン５８により連結されており、電動モータ５４の回転をペダル５７に伝達するようになっている。これら電動モータ５４、チェーン５８、ギア機構が回転駆動部を構成している。また、ハウジング５６には、設定により、電動モータ５４の回転方向、回転速度を制御する回転制御装置５９が設けられている。ペダル５７には、乗せられた足先を固定するカバー５７ａが設けられている。さらに、ハウジング５６の前側上面には、垂直に立設された棒状の脚部６２によって固定されて机部６１が設けられている。机部６１の高さは、脚部６２の中間位置に設けた固定部材６２ａを解除することにより調節することができる。
【００２９】
上記構成の実施例においては、椅子部１２の座部１４に腰掛けた着座者が、両足を左右一対のペダル５７に載せ、回転制御装置５９の制御によりペダル装置５３の電動モータ５４を駆動させてペダル５７を６〜７回／分程度の低速度で回転させることにより、自動的にしかもほとんど運動を意識することなくペダル５７をこぐ状態にさせられる。また、座部１４が前端側の両側に切欠き部１４ｂを設けており、丁度自転車のサドルに類似した形状となっているため、座部１４に座った着座者の両足の大腿部が切欠き部分によって座部１４の下方にスムーズに下げられる。そのため、ペダル５７の回転に伴って、着座者の大腿部が水平より上に持ち上げられることがないので、腹部と大腿部との間のそけい部が圧迫を受けることがなく、そけい部を通る大体動脈や静脈、神経、リンパ管などを圧迫することによる、腹部から下肢全体に及ぶ血管系、神経系運動系等に無用な疾患をもたらすおそれもない。
【００３０】
また、着座者は、そけい部を通る大体動脈や静脈、神経、リンパ管などが圧迫されることのない自然な状態で、前方に配置された机部６１でデスクワークを行いながら、同時に負荷を非常に少なくしてリラックスした状態でサイクリング運動を行うことができるので、運動を行っていることを意識することなく長時間続けることが可能になる。その結果、本実施例によれば、軽度な運動の継続により全身の血行が良好に維持されて自然に体力が高められると共に、サイクリング運動等を行うことにより、デスクワークが邪魔されることはなく、むしろ全身の血行が良好にされるため、仕事や学習の能率が高められる。
【００３１】
また、本実施例においては、ペダル５７には足先を固定するカバー５７ａを設けていることにより、着座者の足先がカバー５７ａによって確実にペダル５７に固定されるため、長時間のペダルの回転を行う場合に、着座者が注意を払わなくても、足先がペダル５７から外れ難くされる。そのため、着座者が無意識な状態でのペダル回転運動が長時間にわたって安定して確保される。なお、ペダル５７には、図７に示すように、さらに踵を固定する踵止め部５７ｂを設けることができる。これにより、ペダル５７が靴に似た形状にされ、足先がペダル５７に確実に保持されるため、ペダル５７からの足先のはずれが一層確実に防止される。
【００３２】
また、本実施例においては、椅子部１２とペダル装置５３とが、台１１を介して連結されて一体になっていることより、椅子部１２とペダル装置５３との間が一定距離に保たれているため、着座者の足先の動きによって、両者間の距離が変えられることがない。そのため、着座者に対するペダル５７の位置が常に一定位置に保たれているため、着座者がペダル５７位置の動きを気にすることなく長時間のペダル５７の回転を安定して行うことができる。また、ペダル５７の回転速度としては、着座者がペダルの回転を意識しない１〜１０回／分の範囲の低速度にされているため、長時間でも無理なくペダル漕ぎを行うことができることにより、同時に他の作業を行いながら、十分なサイクリング運動の効果が得られ、また体力に乏しい身障者や老人等でも楽にサイクリング運動の効果が得られるので非常に便利である。
【００３３】
また、本実施例においては、電動モータ２８の動作を制御してペダル５７の回転速度を調節する回転制御装置５９を設けたことにより、回転制御装置５９の制御によってペダル５７の回転速度を変えることができる。そのため、着座者の状態に応じて適正な回転速度を選択することができるので、着座者の活動状態や健康状態に応じたサイクリング運動の程度を選択して行うことができ、それに伴う適正な運動の効果が得られる。また、回転制御装置５９の制御によってペダル５７の回転方向を変えることができるので、足の異なった筋肉の作用をもたらすことができ、よりバランスの取れた全身運動を達成することができる。
【００３４】
また、椅子部１２の座部１４に座って上記サイクリング運動を行う場合に、図８に示すように、着座者１は、両大腿部２間に太腿用ベルト６５を巻付けて連結させるようにすることができる。太腿用ベルト６５については、ゴム等の弾性材料を含んだわずかに伸縮可能なものが好ましい。これにより、一対のペダル５７に両足をのせたときに、両足の左右への広がりが防止され。そのため、足がペダル５７の回転に安定して追従することができ、長時間のペダルの回転を行う場合に、着座者が注意を払わなくても、足先がペダルから外れ難くされる。そのため、ペダル回転運動が長時間にわたって安定して確保される。なお、太腿用ベルト６５の代わりに、図９に示すように、座部１４の前側の左右両側に着座者の両太腿を挟む一対の太腿挟み部６６を設けてもよい。これにより、着座者の両太腿の左右の動きが太腿挟み部６６によって拘束されて両足の左右への広がりが抑えられるため、足がペダルの回転に安定して追従することができ、長時間のペダルの回転を行う場合に、着座者が無意識な状態でも足先がペダルから外れ難くされる。
【００３５】
また、上記サイクリング運動と同時に、着座者が椅子部１２に腰掛けて両手を両側に一対の手すり部２１，２１に乗せ、さらに手すり駆動部３６により一対の手すり部２１，２１を前後に低速度で揺動することにより、着座者にほとんど意識させることなく手が自然な状態で前後に揺動させられる。そのため、手すり部２１に乗せた腕全体が、自然にゆっくりと前後に動かされるため、その血行が良好に維持され、自然に良好な全身運動に寄与できる。この場合、一対の手すり部２１，２１の左右における揺動が、左右で互いに異なる方向であるが、同一方向の揺動とすることもでき、腕に加わる刺激に変化をもたせることができる。
【００３６】
また、上記サイクリング運動、手すり揺動運動と同時に、本実施例において、座部揺動装置２７の電動モータ２８の回転により、回転軸２８ａに固定された第１ギア３１が回転し、それが第２ギア３２の低速度での回転に変換される。第２ギア３２の低速回転により、第１ヒンジ３３が一端で回転しながら略径方向にゆっくりと往復移動を繰り返すようになる。第１ヒンジ３３の往復移動に引っ張られて、第２ヒンジ３４が小径部１３ｂの回りを所定角度の範囲で低速度で往復回動を繰り返し行う。この第１ヒンジ３３及び第２ヒンジ３４の運動が、台１１に固定された小径部１３ｂを中心とした座部１４の回動に変換される。これにより、座部１４が、正面を向いた位置で脚部１３を中心として±３０°程度の中心角で左右に緩やかに往復回動を繰り返し行うようになる。このような、着座者がほとんど意識しない状態での座部１４の中央を中心として左右に所定角度での往復回動により、着座者の腰周りが軽く捻られて、腰周囲の血行が一層高められるため、着座による作業の疲れが除かれる。
【００３７】
本実施例において、上記サイクリング運動、手すり揺動運動、腰揺動運動について、着座者はデスクワーク等の別作業を行いながら、同時にしかもほとんど意識することなく行われるため、バランスの取れた全身運動を行うことによる効果が得られると共に、運動を行うことによって自律神経を過度に刺激することがないため、自律神経のバランスが適正に保たれ、体の免疫力を高める効果が合わせて得られるのである。
【００３８】
また、本実施例において、着座者は、背もたれ部１５の上端側に設けた枕部１９に頭部を当接させて休んだ状態にさせると共に、表面側に埋設された樹脂製の丸棒１９ａにより頭部を適正に刺激することができ、作業に疲れた頭部の活性化を図ることができる。また、座部１４、背もたれ部１５及び手すり部２１の高さが調節可能にされたことにより、身長の違いに応じて各部の高さを適正に調節することができるため、椅子部１２の汎用性が高められる。また、背もたれ部１５の背もたれ本体１７角度が調整可能にされたことにより、作業中に休憩するような場合に角度を変えることができるので便利であり、その場合でも、サイクリング運動、手すり揺動運動、腰揺動運動を続けることができる。
【００３９】
上記回転ペダル付椅子は、デスクワークや学習のような個人の作業に限らず、授業や会議等の多数が集まって行う用途にも適用することができ、上記効果が得られる。例えば、図１０に示すように、１つのテーブル６１Ａを挟んで一対の回転ペダル付椅子１０Ａ，１０Ｂを配置することにより、Ａ，Ｂ２人で行う囲碁や将棋等の室内ゲームに好適に用いられ、また、図１１に示すように、１つのテーブル６１Ｂを挟んで４個の回転ペダル付椅子１０Ａ〜１０Ｄを配置することにより、Ａ〜Ｄ４人で行うマージャン等の室内ゲームに好適に用いられる。これにより、これら室内ゲームを行いながら上記運動が自動的にほとんど意識することなく行われるので、遊戯者は不健康になりがちなゲームを体力を維持しつつ行うことができると共に、自然に頭脳が活性化されるために長時間のゲームを充実して楽しく行うことができる。
【００４０】
なお、上記実施例においては、着座者が、デスクワーク等の他の作業を行うと同時に、ほとんど意識しない状態で自動的に運動を行う場合に、ペダルの回転速度として１〜１０回／分の範囲、手すり部の揺動速度として１〜１０回／分程度の範囲、座部の往復回動速度として１〜３回／分程度の範囲となっているが、例えば、着座者が、他の作業を行わずに休憩しているような場合には、これに限らず各上限を超えた回数でサイクリング運動等を行うこともできる。
【００４１】
また、上記実施例においては、ペダル装置５３、座部揺動装置２７、手すり駆動部３６の動作は、最初に設定された状態で続行され、変更する場合は、着座者により手で設定変更が行われているが、例えばリモコン装置による制御で、着座者が椅子部に着座した状態でいつでも自由に変更できるようにすることも可能である。さらに、上記実施例においては、ペダル装置５３によるサイクリング運動、座部揺動装置２７による腰回りの回動、手すり駆動部３６による腕部の前後への揺動運動を同時に行っているが、いずれか選択して行うことも可能である。
【００４２】
また、ペダル装置５３、座部揺動装置２７及び手すり駆動部３６については、少なくとも一つを省くことも可能であり、これにより、それぞれの装置を用いることによる効果が得られる。さらに、上記実施例において、机部６１を省くこともでき、これにより椅子部１２に腰掛けて、テレビ等の映像を見たり本を読んだりしながら、あるいは休息しながら、同時にサイクリング運動による効果が得られる。また、上記実施例において、椅子部１２とペダル装置５３は台１１上に立設されて一体にされているが、椅子部１２とペダル装置５３を別部材として分離して配置させることも可能である。その他、上記実施例に示した事務用回転ペダル付椅子については一例であり、本発明の趣旨を逸脱しない範囲において種々変更して実施することができる。
【産業上の利用可能性】
【００４３】
本発明の回転ペダル付椅子は、椅子部の座部に腰掛けた着座者が、デスクワーク等の他の作業を行いながら、負荷を非常に少なくしてリラックスした状態で自動的に、サイクリング運動や、手すりに乗せた腕全体をゆっくりと前後に揺する運動や、さらに着座者の腰周りを軽く捻る運動等をほとんど意識することなく長時間行うことができるため、全身運動により血行が良好にされ体力が高められると共に、全身の血行が良好にされるため、作業の能率が高められるので、有用である。
【図面の簡単な説明】
【００４４】
【図１】本発明の一実施例である回転ペダル付椅子及び机の使用状態を概略的に示す正面図である。
【図２】同回転ペダル付椅子及び机の使用状態を示す平面図である。
【図３】同回転ペダル付椅子及び机の使用状態を示す背面図である。
【図４】同回転ペダル付椅子の座部揺動装置を概略的に示す底面図である。
【図５】回転ペダル付椅子における手すり部分の駆動状態を拡大して示す背面図である。
【図６】回転ペダル付椅子における手すり部分の駆動状態を拡大して示す背面図である。
【図７】ペダルの変形例である踵止め部を設けたものを示す正面図である。
【図８】着座者が両太腿を連結する太腿用ベルトを装着した状態を示す平面図である。
【図９】一対の太腿挟み部を設けた椅子部を示す平面図である。
【図１０】回転ペダル付椅子及び机の配置の一例である将棋等の２人で室内ゲームを行う場合を概略的に示す平面図である。
【図１１】回転ペダル付椅子及び机の配置の他の例であるマージャン等の４人で室内ゲームを行う場合を概略的に示す平面図である。
【符号の説明】
【００４５】
１２…椅子部、１３…脚部、１４…座部、１５…背もたれ部、１９…枕部、２１…手すり部、２４…係合部材、２７…座部揺動装置、２８…電動モータ、２９…回転変換部、３６…手すり駆動部、３７…取付け部材、４２…左駆動部、４５…右駆動部、５２…電動モータ、５３…ペダル装置、５４…電動モータ、５５…回転ペダル部、５７…ペダル、５９…回転制御装置、６１…机部。
【図１】
2007054598.tif 000003
【図２】
2007054598.tif 000004
【図３】
2007054598.tif 000005
【図４】
2007054598.tif 000006
【図５】
2007054598.tif 000007
【図６】
2007054598.tif 000008
【図７】
2007054598.tif 000009
【図８】
2007054598.tif 000010
【図９】
2007054598.tif 000011
【図１０】
2007054598.tif 000012
【図１１】
2007054598.tif 000013
【手続補正書】
【提出日】平成18年6月19日(2006.6.19)
【手続補正１】
【補正対象書類名】特許請求の範囲
【補正対象項目名】請求項１
【補正方法】変更
【補正の内容】
【請求項１】
脚部と座部と背もたれ部とを有し、該座部が前端側の左右両側にて切り欠かれている椅子部と、
該椅子部の前方にて床面に載置されて該座部に着座した着座者が両足先を載置できるように両足の下方に配置された左右一対の回転可能なペダルを有する回転ペダル部と、該一対のペダルを１〜１０回／分の低速度で回転させる回転駆動部とからなるペダル装置と
により構成されたことを特徴とする回転ペダル付椅子。
【手続補正２】
【補正対象書類名】明細書
【補正対象項目名】０００５
【補正方法】変更
【補正の内容】
【０００５】
上記目的を達成するために、本発明の構成上の特徴は、脚部と座部と背もたれ部とを有し、座部が前端側の左右両側にて切り欠かれている椅子部と、椅子部の前方にて床面に載置されて座部に着座した着座者が両足先を載置できるように両足の下方に配置された左右一対の回転可能なペダルを有する回転ペダル部と、一対のペダルを１〜１０回／分の低速度で回転させる回転駆動部とからなるペダル装置とにより構成されたことにある。なお、ペダルの回転速度としては、着座者がペダルの回転を意識しない程度の低速度である１〜１０回／分の範囲であればよいが、好ましくは４〜８回／分程度であり、さらに好ましくは６〜７回／分程度である。１回／分より少ないと、サイクリング運動の効果が得難くなり、また、１０回／分より多くなるとかえって負荷が大きくリラックスした状態にはなり難くなると共に、同時に他の作業を行うことも困難になる。
【手続補正３】
【補正対象書類名】明細書
【補正対象項目名】００１７
【補正方法】変更
【補正の内容】
【００１７】
本発明によれば、椅子部の座部に腰掛けた着座者が、デスクワーク等の他の作業を行いながら、両足を左右一対のペダル部に載せ、回転駆動部によって１〜１０回／分の低速度でペダル部を駆動させることにより、着座者の両足の大腿部が切欠き部分によって座部の下方にスムーズに下げられた負担のかからない状態で、自動的にペダルをこぐ状態にさせられる。その結果、本発明においては、着座者は、デスクワーク等の作業を行いながら、同時に負荷を非常に少なくしてリラックスした状態でほとんど意識することなく軽度のサイクリング運動を行うことができるため、全身の血行が良好にされ適正な全身運動による体力増強の効果が得られると共に、自律神経のバランスが適正な状態に保たれる。また、本発明によれば、サイクリング運動が作業中に自動的にかつ自然に行われるため、作業が邪魔されることはなく、むしろ全身の血行が良好にされることにより作業の能率を高める効果が得られる。